(57)【要約】電子装置と、通信ネットワーク経由で前記電子装置に接続可能なデータベースを備えている、記録データを提示するシステムであって、前記電子装置は、第１の方向からデータを記録するために配置されている記録部と、前記電子装置の位置データを判定する様に構成されている位置判定部と、前記位置データに関する前記記録データの方向を示す方向データを判定するために配置されている方向判定部と、第１のアプリケーションを含むメモリと、前記アプリケーションの実行により、前記位置及び方向データを前記記録データに関連付け、前記記録データを前記関連する位置及び方向データと共に前記データベースに送信するために配置されている制御部とを備えており、前記データベースは、前記記録データを受信する様に構成されている受信部と、第３のアプリケーションを含むメモリと、前記第３のアプリケーションを実行するために配置されているデータベース制御部とを備えており、前記記録データは、前記関連する位置及び方向データに基づき提示される。
2011519192.tif 000002
【特許請求の範囲】
【請求項１】
ある方向のデータを記録するために配置された記録ユニット（１０６）と、
電子装置の位置データを判定する様に構成された位置判定部（１１２）と、
前記電子装置の向きを示す方向データを判定するために配置された方向判定部（１１４）と、
第１のアプリケーションを含むメモリ（１０４）と、
前記第１のアプリケーションの実行により、前記位置及び方向データを前記記録データに関連付けるために配置された制御部（１０２）と、
を備えていることを特徴とする電子装置。
【請求項２】
前記方向データは、前記位置データに関する前記記録データの前記方向を示すデータである、
ことを特徴とする請求項１に記載の電子装置。
【請求項３】
前記方向判定部は、電子コンパスを含む、
ことを特徴とする請求項１又は２に記載の電子装置。
【請求項４】
前記電子装置の傾斜角を判定する様に構成された傾斜判定部をさらに備えており、
前記制御部は、前記傾斜角を前記記録データに関連付けるためにも配置されている、
ことを特徴とする請求項１から３のいずれか１項に記載の電子装置。
【請求項５】
前記傾斜判定部は、少なくとも１つの第１の加速度計を含む、
ことを特徴とする請求項４に記載の電子装置。
【請求項６】
出力部を備えており、
第２のアプリケーションが前記電子装置に保存され、
前記制御部は、前記第２のアプリケーションの実行により、前記出力部に前記記録データを提示するために配置されている、
ことを特徴とする請求項１から５のいずれか１項に記載の電子装置。
【請求項７】
前記制御部は、前記記録データを、前記関連する位置及び方向データを処理することで前記出力部に表示するために配置されている、
ことを特徴とする請求項６に記載の電子装置。
【請求項８】
前記制御部は、前記記録データと前記関連する位置及び方向データを保存し、前記保存した記録データの位置データと以前に保存した記録データの位置データを比較し、互いに所定の範囲内に前記位置データがあることにより前記位置データが似ている前記記録データ及び前記以前に保存した記録データを繋ぎ合わせることにより処理し、前記記録データ及び前記以前に保存した記録データのパノラマ表示を提示する前記出力部に前記繋ぎ合わせたデータを表示するために配置されている、
ことを特徴とする請求項７に記載の電子装置。
【請求項９】
第３のアプリケーションを保存するメモリ（５４）と、制御部（５２）とを備えているコンピュータであって、
前記制御部は、前記第３のアプリケーションの実行により、有線ネットワークから接続部（５６）経由で、記録データを関連する位置及び方向データと共に受信し、前記コンピュータに以前に保存した記録データの位置データを、関連する位置及び方向データと比較し、お互いに所定の範囲内に位置データがある似た記録データの位置データを判定し、前記記録データと前記以前に保存した似た位置データの記録データを繋ぎ合わせることにより処理するために配置されている、
ことをと特徴とするコンピュータ。
【請求項１０】
前記制御部は、前記記録データ及び前記以前に保存した記録データのパノラマ表示として、ユーザに前記繋ぎ合わせたデータを提示するためにも配置されている、
ことを特徴とする請求項９に記載のコンピュータ。
【請求項１１】
前記制御部は、前記記録データ及び前記以前に保存した記録データの３次元表示として、ユーザに前記繋ぎ合わせたデータを提示するためにも配置されている、
ことを特徴とする請求項９に記載のコンピュータ。
【請求項１２】
電子装置（１０）と、通信ネットワーク（８０）経由で前記電子装置に接続可能なデータベース（５０）を備えている、記録データを提示するシステムであって、
前記電子装置（１０）は、
第１の方向からデータを記録するために配置されている記録部と、
前記電子装置の位置データを判定する様に構成されている位置判定部と、
前記位置データに関する前記記録データの方向を示す方向データを判定するために配置されている方向判定部と、
第１のアプリケーションを含むメモリと、
前記アプリケーションの実行により、前記位置及び方向データを前記記録データに関連付け、前記記録データを前記関連する位置及び方向データと共に前記データベースに送信するために配置されている制御部と、
を備えており、
前記データベース（５０）は、
前記記録データを受信する様に構成されている受信部と、
第３のアプリケーションを含むメモリと、
前記第３のアプリケーションを実行するために配置されているデータベース制御部と、
を備えており、
前記記録データは、前記関連する位置及び方向データに基づき提示される、
ことを特徴とするシステム。
【請求項１３】
前記データベースは、前記記録データと、以前に保存した関連する位置及び方向データを持つ記録データを、２つの異なる記録データの位置データが肯定的に適合するときに繋ぎ合わせるために配置されている、
ことを特徴とする請求項１２に記載のシステム。
【請求項１４】
位置データが示す位置の差が所定範囲内にある場合に、前記肯定的に適合すると判定する、
ことを特徴とする請求項１３に記載のシステム。
【請求項１５】
前記繋ぎ合わせたデータは、３次元環境を提供する仮想現実環境内で提示される、
ことを特徴とする請求項１３又は１４に記載のシステム。
【請求項１６】
前記電子装置は、画像を撮影したときの、前記電子装置の重力軸に対する前記記録部の傾斜角を記録する傾斜判定部を、さらに、備えている、
ことを特徴とする請求項１２から１５のいずれか１項に記載のシステム。
【請求項１７】
記録データを処理する電子装置における方法であって、
−領域のデータを記録するステップと、
−前記電子装置の位置データを前記記録データに関連付けるステップと、
−前記電子装置の方向判定部から受信する方向を示す前記電子装置の方向データを、前記記録データに関連付けるステップと、
−前記記録データを前記位置及び方向データと共にデータ保存部に保存するステップと、
を含むことを特徴とする方法。
【請求項１８】
前記電子装置の傾斜判定部からの傾斜データを前記記録データに関連付けるステップを、さらに、備えており、
前記傾斜データも前記記録データと共に保存する、
ことを特徴とする請求項１７に記載の方法。
【請求項１９】
前記記録データの位置データを、以前に保存した記録データの位置データと比較するステップと、
位置データが肯定的に適合する異なる記録データを繋ぎ合わせることで処理するステップと、
を、さらに、備えていることを特徴とする請求項１７又は１８に記載の方法。
【請求項２０】
緯度及び／又は経度が５０ｍ未満の差の位置データである場合に、前記肯定的に適合すると判定する、
ことを特徴とする請求項１９に記載の方法。
【請求項２１】
前記比較するステップ及び前記処理するステップは、前記電子装置が実行する、
ことを特徴とする請求項１９又は２０に記載の方法。
【請求項２２】
前記比較するステップ及び前記処理するステップは、外部のコンピュータが実行する、
ことを特徴とする請求項１９又は２０に記載の方法。
【請求項２３】
前記繋ぎ合わせたデータは、前記繋ぎ合わせた記録データで取り囲んだユーザの体験を表すサービスにおいて提示される、
ことを特徴とする請求項１９から２２のいずれか１項に記載の方法。
【請求項２４】
コンピュータプログラムロジックを含むコンピュータが利用可能な媒体を備えたコンピュータプログラムであって、前記コンピュータプログラムは、電子装置の制御部に、
−記録データを受信するステップと、
−前記電子装置の位置データを前記記録データに関連付けるステップと、
−前記電子装置の方向判定部から受信する、前記位置データに関する前記記録データの方向を示す方向データを関連付けるステップと、
−前記記録データを前記位置及び方向データと共にデータ保存部に保存するステップと、
を実行させることを特徴とするコンピュータプログラム。
【請求項２５】
前記電子装置の傾斜データを関連付けるステップを、さらに、前記制御部に実行させ、
前記記録データを、前記位置及び方向データに加えて傾斜データと共に保存する、
ことを特徴とする請求項２４に記載のコンピュータプログラム。
【請求項２６】
コンピュータプログラムロジックを含むコンピュータが利用可能な媒体を備えたコンピュータプログラムであって、前記コンピュータプログラムは、電子装置の制御部に、
−記録データを関連する位置及び方向データと共に受信するステップと、
−前記位置データと、前記コンピュータ装置に以前に保存された位置データを比較するステップと、
−互いに所定の範囲内に位置データがある、前記記録データの位置データに似た位置データの以前に保存した記録データを判定するステップと、
−前記記録データと、前記似た位置データの以前に保存した記録データを繋ぎ合わせることにより処理するステップと、
を実行させることを特徴とするコンピュータプログラム。
【請求項２７】
前記電子装置は、無線通信装置を含む、
ことを特徴とする請求項２６に記載のコンピュータプログラム。
【請求項２８】
前記電子装置は、データベース／サーバを含む、
ことを特徴とする請求項２６又は２７に記載のコンピュータプログラム。
【請求項２９】
−第１の位置データを検索語として、ネットワーク上の記録データを検索するステップと、
−第１の位置データから設定された範囲内にある位置データに関連する記録データを読み出すステップと、
を実行させる請求項２６から２８のいずれか１項に記載のコンピュータプログラム。
【請求項３０】
前記繋ぎ合わせた記録データ及び以前に保存した記録データは、ある位置から体験されるパノラマ又は３次元表示として表示するために編集される、
ことを特徴とする請求項２６から２９のいずれか１項に記載のコンピュータプログラム。
【発明の詳細な説明】
【技術分野】
【０００１】
本発明は、電子装置に関し、特に、データを記録する電子装置に関する。
【背景技術】
【０００２】
今日、電子装置、特に、携帯電話は、多くの機能と共に提供されている。電子装置に設けられた、その様な機能の例は、ＭＰ３プレイヤ及びカメラである。
【０００３】
インターネット上の複数のサービスの急激な利用の増加の中で、インターネットの様々な機能の体験を増加させるために、機能及び特徴が追加されている。今日、ブログ及びインターネット・コミュニティは、ユーザが増加している、急成長の出来事である。これらサービスの周囲にある、ビジネス及び機能の両方における機会は巨大であり、インターネットの様々なサービスのユーザに可能な限りの価値を加えることが重要である。
【０００４】
今日、ユーザが地図等をクリックすることで、世界の様々な場所／位置で撮影した画像をユーザが見ることができるインターネット上のサービスが存在する。画像は、可搬型の装置により撮影され、画像を表示するインターネット上のサーバに送信される。
【０００５】
しかしながら、その様なサービスのユーザに、さらなる価値を追加するサービスにおいて、データ表示機能を向上させることが望まれている。
【発明の概要】
【発明が解決しようとする課題】
【０００６】
記録した素材の表示を向上できる形態を提供することを目的とする。
【０００７】
記録した素材を提示するサービスを向上する形態を提供することを目的とする。
【課題を解決するための手段】
【０００８】
幾つかの実施形態は、ある方向のデータを記録するために配置された記録ユニットと、電子装置の位置データを判定する様に構成された位置判定部と、前記電子装置の向きを示す方向データを判定するために配置された方向判定部と、第１のアプリケーションを含むメモリと、前記第１のアプリケーションの実行により、前記位置及び方向データを前記記録データに関連付けるために配置された制御部とを備えている電子装置を開示する。
【０００９】
幾つかの実施形態は、第３のアプリケーションを持つメモリと、制御部とを備えているコンピュータであって、前記制御部は、前記第３のアプリケーションの実行により、記録データを関連する位置及び方向データと共に受信し、前記コンピュータに以前に保存した記録データの位置データを、関連する位置及び方向データと比較し、お互いに所定の範囲内に位置データがある、似た記録データの位置データを判定し、前記記録データと、前記以前に保存した記録データのうちの似た位置データの記録データを繋ぎ合わせることにより処理（スティッチ処理）するために配置されている、コンピュータを開示する。
【００１０】
その様なコンピュータは、サーバ又はデータベース等であり得る。
【００１１】
幾つかの実施形態は、電子装置と、通信ネットワーク経由で前記電子装置に接続可能なデータベースを備えている、記録データを提示するシステムであって、前記電子装置は、第１の方向からデータを記録するために配置されている記録部と、前記電子装置の位置データを判定する様に構成されている位置判定部と、前記位置データに関する前記記録データの方向を示す方向データを判定するために配置されている方向判定部と、第１のアプリケーションを含むメモリと、前記アプリケーションの実行により、前記位置及び方向データを前記記録データに関連付け、前記記録データを前記関連する位置及び方向データと共に前記データベースに送信するために配置されている制御部とを備えており、前記データベースは、前記記録データを受信する様に構成されている受信部と、第３のアプリケーションを含むメモリと、前記第３のアプリケーションを実行するために配置されているデータベース制御部とを備えており、前記記録データは、前記関連する位置及び方向データに基づき提示される、システムを開示する。
【００１２】
幾つかの実施形態は、記録データを処理する電子装置における方法であって、領域のデータを記録するステップと、位置データを前記記録データに関連付けるステップと、前記電子装置の方向判定部から受信する方向を示す方向データを、前記記録データに関連付けるステップと、前記記録データを前記位置及び方向データと共にデータ保存部に保存するステップとを含む方法を開示する。
【００１３】
幾つかの実施形態は、コンピュータプログラムロジックを含むコンピュータが利用可能な媒体を備えたコンピュータプログラム・プロダクトであって、前記コンピュータプログラム・プロダクトは、電子装置の制御部に、記録データを受信するステップと、前記電子装置の位置データを前記記録データに関連付けるステップと、前記電子装置の方向判定部から受信する、前記位置データに対する前記記録データの方向を示す方向データを関連付けるステップと、前記記録データを前記位置及び方向データと共にデータ保存部に保存するステップとを実行させることを含む。
【００１４】
幾つかの実施形態は、コンピュータプログラムロジックを含むコンピュータが利用可能な媒体を備えたコンピュータプログラム・プロダクトであって、前記コンピュータプログラム・プロダクトは、電子装置の制御部に、記録データを関連する位置及び方向データと共に受信するステップと、位置データと、前記コンピュータ装置に以前に保存した位置データを比較するステップと、互いに所定の範囲内に位置データがある、前記記録データの位置データに似た位置データの以前に保存した記録データを判定するステップと、前記記録データと、前記似た位置データの以前に保存した記録データを繋ぎ合わせることにより処理するステップとを実行させることを含む。
【００１５】
これは、現在の記録ツールの改良を可能にし、今日の電子装置／サービスに改良した機能を提供する。
【００１６】
実施形態の詳細について、図を用いて説明する。
【図面の簡単な説明】
【００１７】
【図１】同じ位置から異なる方向の画像を記録するユーザの概要を示す図である。
【図２】移動装置の概略的な構成図である。
【図３】一実施形態によるシステムの概略的な構成図である。
【図４】データベースの概略を示す図である。
【図５】記録データの処理方法の概略を示す図である。
【図６】記録装置の様々な傾斜角でのユーザ記録画像の概略を示す図である。
【図７】一実施形態の概略を示す図である。
【図８】一実施形態のフローチャートである。
【発明を実施するための形態】
【００１８】
本発明の実施形態を示す図を用い、本発明の実施形態を以下では詳細に説明する。しかしながら、本発明は、多くの異なる形態で実現でき、ここに述べる実施形態に限定するものと解釈すべきではない。これら実施形態は、むしろ、この開示により、当業者に本発明の範囲を完全に伝えるために提供されている。実施形態では、同様の要素には同様の参照符号を使用する。
【００１９】
ここで使用する用語は、特定の実施形態を記述することを目的とするのみであり、本発明を制限することを目的としていない。ここでの使用において、単数形式、“１つの”及び“その”は、文脈が明らかに示していない限り、複数形式も含むことを意図している。さらに、用語“備えている”及び／又は“含んでいる”が使用されるとき、述べられている特徴、整数、ステップ、動作、要素及び／又は部品の存在を特定するが、１つ以上の他の特徴、整数、ステップ、動作、要素、部品及び／又はグループの存在を排除しないことを理解すべきである。
【００２０】
定義されない限り、ここで使用する総ての用語（技術及び科学用語を含む）は、本発明が属する技術分野の当業者が通常理解するのと同じ意味を有している。さらに、ここで使用する用語は、明細書及び関連する技術分野の事情と一致する意味を持つと解釈すべきであり、明示されない限り、理想化したり、あるいは、過度に形式的に解釈すべきではないことを理解すべきである。
【００２１】
本発明は、本発明の実施形態による方法、装置（システム）及び／又はコンピュータプログラム・プロダクトを示すブロック図及び／又はフローチャートを参照して説明する。ブロック図及び／又はフローチャートの幾つかのブロックや、ブロック図及び／又はフローチャートの幾つかのブロックの組み合わせは、コンピュータプログラムの命令により実現できる。これらコンピュータプログラム命令は、装置を構成する、汎用コンピュータ、特定の目的のためのコンピュータ及び／又は他のプログラム可能なデータ処理装置のプロセッサに供給され、コンピュータ及び／又は他のプログラム可能なデータ処理装置プロセッサで実行される命令は、ブロック図やフローチャートのブロックで特定される機能／動作を実現する手段を形成する。
【００２２】
これらコンピュータプログラムの命令は、また、コンピュータ又は他のプログラム可能なデータ処理装置を特定の方法で指示できる、コンピュータが読み取り可能なメモリに保存でき、コンピュータが読み取り可能なメモリに保存された命令は、ブロック図及び／又はフローチャートのブロックで特定される機能／動作を実現する命令を含む製造された商品を生成する。
【００２３】
コンピュータプログラムの命令は、コンピュータ又は他のプログラミング可能なデータ処理装置にロードすることができ、コンピュータ又は他のプログラミング可能な装置に一連の動作ステップを実行させて、ブロック図及び／又はフローチャートのブロックで特定される機能／動作を実現するためのステップを提供するコンピュータ又は他のプログラミング可能な装置が実行する命令の様な、コンピュータ実行処理を実現する。
【００２４】
よって、本発明は、ハードウェア及び／又はソフトウェア（ファームウェア、レジデント・ソフトウェア、マイクロコード等を含む）で実現され得る。さらに、本発明は、命令実行システムに関する、あるいは、命令実行システムで利用される媒体の、コンピュータが利用可能な又はコンピュータが読み取り可能なプログラムコードを有する、コンピュータが利用可能な又はコンピュータが読み取り可能な記録媒体上のコンピュータプログラム・プロダクトの形式をとり得る。この明細書において、コンピュータが利用可能な又はコンピュータが読み取り可能な記録媒体は、命令実行システム、装置又はデバイスに関する、あるいは、利用するプログラムを含む、保存する、通信する、伝達する、あるいは、転送する任意の媒体であり得る。
【００２５】
コンピュータが利用可能な又はコンピュータが読み取り可能な記録媒体は、例えば、電子的、磁気的、光学的、電磁的、赤外線、又は、半導体システム、装置、デバイス又は伝送媒体であるが、これらに限定されない。コンピュータが読み取り可能な記録媒体のより詳細な例（総てのリストではない）は、１つ以上の電気的接続を持つワイヤ、可搬型のコンピュータディスク、ランダムアクセスメモリ（ＲＡＭ）、リードオンリーメモリ（ＲＯＭ）、消去可能なリードオンリーメモリ（ＥＰＲＯＭ又はフラッシュメモリ）、光ファイバ、可搬型コンパクトディスク・リードオンリーメモリ（ＣＤ−ＲＯＭ）である。例えば、紙又は他の媒体を光学的に走査し、コンパイルし、解釈し、あるいは、必要に応じた適切な処理をしてコンピュータのメモリに保存するといった様に、プログラムを電気的に取り込むことができるのであれば、コンピュータが利用可能な又はコンピュータ読み取り可能な記録媒体は、プログラムを印刷した紙又は他の適切な媒体であっても良い。
【００２６】
本発明は、データを保存し、データにアクセスし、データを通信するための電子装置でのデータ処理に関する。その様な電子装置は、例えば、パーソナルコンピュータ、デジタルカメラ、メディアプレイヤ又はＰＤＡの形態をとり得る。しかしながら、本発明の最も良い形態として、以下では、主に、電気通信分野での説明を行い、よって、電子装置は、携帯電話として参照する。しかし、異なるカテゴリの異なる機能に重点を置いているとしても、多くの電子装置は、類似の機能を有しているため、携帯電話と、可搬型カメラ、可搬型ラップトップコンピュータ、ＰＤＡの境界は小さく、不明瞭であることに留意すべきである。
【００２７】
図１は、例えば、カメラ機能付き携帯電話といった電子装置１０の、カメラレンズの撮影方向線（ＬｏＲ）の方向に基づく異なる光景を示している。画像又は動画を記録するとき、ＬｏＲは、視野線（ＬｏＶ）としても参照する。図の例では、電子装置１０は、位置（ｘ，ｙ，ｚ）にあり、電子装置が異なる方向を目標とするとき、電子装置の記録部のＬｏＲは変化する。これにより、ある位置（ｘ，ｙ，ｚ）での電子装置１０が記録する画像は、電子装置の目標とする方向により異なる結果となる。図の例では、北の方向を目標とする電子装置は第１の画像４を記録し、東の方向を目標とする電子装置は第２の画像６を記録し、南の方向では第３の画像２を記録する。
【００２８】
これは、インターネット等のサイトにおいて付加価値サービスを提供するために利用され得る。例えば、電子装置の記録データは、方向を示す付加データと共にデータ保存部に保存され、アプリケーションは、同じ／似た位置データであるが、異なる方向データを持つ記録データを繋ぎ合わせる。似た位置とは、半径１０ｍの円領域といった、所定の範囲内で異なる位置データを意味する。これらの繋ぎ合わせたデータは、ユーザが位置（ｘ，ｙ，ｚ）からのパノラマ景色を体験する様な方法で、そのアプリケーションのユーザに提示／表示される。
【００２９】
位置データ及び方向データは、記録データに適用される。位置データは、ＧＰＳといったＧＮＳＳシステムから取得することができ、方向データは、電子装置内に配置され、稼動部分を必要とすることなしに磁気の方向を検出する電子コンパスから取得することができる。
【００３０】
画像の地理的タグにコンパスの方向を追加する利益は、画像を地図上に置き、完全な文脈で見ることがより便利になることである。よって、タグは、記録装置の位置データ及びその位置から記録データに向かう方向データの両方を含む。
【００３１】
図２は、電子移動通信装置１０を示す。移動装置１０は、端末の他の部品を直接又は間接的に支持するシャーシ又はカバーを含むハウジング構造を備えている。移動装置１０は、さらに、キーパッドを含むユーザ入力インタフェース１１０を備えており、（図示しない）マイクロフォンを含むことができる。さらに、ユーザ入力インタフェース１１０は、キーパッドに加えて、或いは、代えてタッチセンスディスプレイを備えることもできる。さらに、ユーザ出力インタフェース１０８が移動装置に配置され、（図示しない）ディスプレイやスピーカを備えることができる。移動装置は、データを送受信するトランシーバ部１１２も備えている。トランシーバ部１１２は、衛星位置受信機を含むことができるが、これは、別のユニットであっても良い。
【００３２】
移動装置１０は、さらに、マイクロプロセッサ、ＣＰＵ、ＦＰＧＡの様な制御部１０２を備えており、制御部１０２は、例えば、制御部１０２で実行するアプリケーションを含むメモリ１０４に接続されている。移動装置１０は、画像、オーディオ及び／又は他の記録可能データといった、データを記録する様に構成されたデータ記録部１０６を含んでいる。記録部は、例えば、カメラ、ビデオカメラ、マイクロフォン及び／又はその様なものであり得る。記録部は、例えば、カメラ等の視野方向といった、ある方向を向く入力領域を含んでいる。
【００３３】
さらに、記録データの入力の方向を、よって、撮影方向線等を決定するために、方向判定部１１４が移動装置１０には配置されている。方向判定部は、電子コンパス、デジタル読み取り部を有する機械的なコンパス又は方向を判定する任意の装置である。
【００３４】
方向判定部１１４の一つの実施形態は、破線の箱１１６として表示している、電子装置の傾きを判定する傾き決定機能を含む傾斜判定部をさらに備えることができる。この傾斜角は、記録画像に適用するデータタグに含めることができる。この傾斜判定部は、記録部のＬｏＲが大地に平行である位置の様な、電子装置の元の位置に対する傾斜角を測定する。傾斜判定部１１６は、１つ以上の加速計、ジャイロといった、傾き及び／又は傾斜計を含むこともできる。傾斜判定部は、さらに、電子装置の高さ、回転を測定するめに配置することもでき、このデータもタグ情報に含めることもできる。
【００３５】
データを装置に記録するとき、メモリ１０４に保存され、制御部１０２で実行されるアプリケーションにより、トランシーバ部１１２から受信した記録データ、方向判定部１１４から読み出されたデータ、さらには、選択的な傾斜データが、位置データに付け加えられる。
【００３６】
図３は、記録データを提示するシステムの概要を示す図である。システムは、方向のデータを記録する電子装置１０を含む。記録データは、電子装置の位置データ及び地磁気に対する、電子装置から記録データへの方向を示す方向データに関連付けられている。
【００３７】
記録データと、それに関連する位置及び方向データは、データベース、サーバといったコンピュータ部５０に、インターネットやＷＬＡＮといったネットワーク８０経由で伝送される。一実施形態において、コンピュータ部５０は、受信した記録データの位置データと、他の以前に保存した記録データの位置データを比較し、似た位置の記録データをまとめて分類するためのアプリケーションを含んでいる。分類された記録データは、まとめて繋ぎ合わせ、似た位置データの記録データをパラノマとして提示することを可能にする。サーバで動作するアプリケーションは、記録データから仮想現実環境を作りだすことができる。
【００３８】
図４は、ウェブサーバ、データベースといったコンピュータ部の概略図である。コンピュータ部５０は、制御部５２、メモリ部５４及び接続部５６を備えている。メモリ部５４は、アプリケーション等を保存している。一実施形態において、制御部５２は、アプリケーションを実行しているとき、接続部５６から受信した、ユーザ／他のコンピュータ部等からの記録データを処理するために配置されている。
【００３９】
処理された記録データは、似た位置データであるが、異なる方向データの記録データを繋ぎ合わせたものとして提示され、繋ぎ合わせた記録データに囲まれた人にパノラマ景色又は仮想現実環境を提示し、サービスに３次元体験を追加する。
【００４０】
図５は、地理的及び方向データを付随する記録データの保存方法を示す。
【００４１】
ステップ３２において、静止画像、動画像、オーディオといったデータを、ユーザは電子装置を用いて記録する。電子装置は、携帯電話等である。電子装置は、ある方向のデータを記録できる記録部を備えている。つまり、記録部は、入力部を備えており、入力部の位置に対する１つ以上の位置からデータを受信する。
【００４２】
ステップ３４において、電子装置は、電子装置の位置を示す位置データを受信する。位置データは、ＧＰＳといったＧＮＳＳシステムから受信できる。位置データは、緯度、経度、高度といった任意の位置データを含む。
【００４３】
ステップ３６において、電子装置は、電子コンパスといった方向判定部から方向データを読み出す。方向データは、コンパスの位置±角度を示すかもしれない。
【００４４】
ステップ３８において、電子装置のプロセッサ／制御部は、アプリケーションの実行により、方向データ、位置データ及び／又は日付、時刻、傾き、高さ、回転といった付加データと記録データを関連又はタグ付ける。タグの例を以下に示す。
＜画像データ開始＞
＜時刻＝１２：０４，日付：２００７−０９−３１，カメラモデル：”ＳＥＭＣ  Ｃｙｂｅｒ  ｓｈｏｔ”・・・＞
＜緯度：＃値，経度：＃値＞
＜方向：北＋＃東への角度＞
＜画像データ終了＞
ステップ４０において、記録データは、メモリ内に関連データと共に保存される。メモリは、装置の内部メモリ又は他の装置内の外部メモリである。記録データと関連データタグは、ウェブサイト等で眺める／表示するために、インターネットといったネットワーク経由でデータベースに送信される。
【００４５】
記録データは、ユーザが撮影した画像を提供し、それらを地図等の上に配置するといった様々なサービスで利用することができる。幾つかの画像がパノラマ景色のために繋ぎ合わせられると、３次元の方法で眺めることができる。
【００４６】
記録データがオーディオ情報であるとき、ユーザは似た位置における異なる方向からのオーディオを示すサラウンドシステムを用いて仮想サラウンドを体験できる。これは、例えば、仮想環境である位置へ実際におとずれた感覚を追加する。これは、実際のノイズレベルを模倣するノイズの研究に利用することもできる。
【００４７】
電子装置の内部に保存されたアプリケーションは、カメラが保持された方向及び画像を撮影したときの位置のみにより画像を繋ぎ合わせる制御部を形成し、記録データのパノラマ・ビューを作成するために配置される。異なる画像に付された方向と共に、カメラの位置が正確に同じである必要はない。アプリケーションは、画像のズームイン／アウトにより異なる位置の変動を補償し、より正確に画像を繋ぎ合わせることができる。アプリケーションは、記録データ等の被写体までの距離といったパラメータに基づき、例えば、互いに１００ｍ以内で撮影された画像を繋ぎ合わせることができる。
【００４８】
アプリケーションは、ホームコンピュータ、ハンドヘルド電子装置等と同様に、遠隔にあるデータベースに保存し、実行することができることに留意すべきである。
【００４９】
付加的な特徴は、様々なユーザが撮影した画像を繋ぎ合わせてパノラマ画像又はコラージュにすることである。画像は、中央のサーバにアップロードされ、アプリケーションはそれらを繋ぎ合わせる。画像を繋ぎ合わせることで、３次元様式で世界の大部分を示すことを可能にする。
【００５０】
アプリケーションは、インターネットに保存された画像を、位置、方向及び／又は付加データを用いて世界中から検索してそれらを繋ぎ合わせることで、あるウェブサイトが、内部に保存している画像と他のウェブサイトからの画像を用いて、様々な場所のパノラマ景色を作成することを可能にする様に実装されることに留意すべきである。
【００５１】
アプリケーションは、異なるユーザが異なる電子装置を用いて同じ被写体を異なる位置の異なる方向から撮影した画像を補償する。これを、共通の場所及び方向に画像を正規化するステップと呼ぶこともできる。例えば、２つの撮影画像は、異なる位置の間にある、ある位置からの眺めを描くように正規化することができる。同様に、第１の写真を撮影した第１のユーザが、同じ景色であるが、異なる位置から異なるユーザが撮影した画像のデータを追加することで第１の方向の記録された写真を拡張することができる。ここで、異なるユーザの画像は、第１のユーザにより記録されていない領域部分を記録している。
【００５２】
電子装置は、地面等に対して上方に傾けることができる。電子装置の傾きを検出するための配置を実装することで、現在位置、場所、通り等を球面状で提示するアプリケーションが可能になる。電子装置の回転が測定され、タグ情報に追加できることにも留意すべきである。
【００５３】
図６に示す様に、記録データに傾きデータを付す特徴を実装することで、画像の表示において、データを記録する電子装置１０の上方付近まで達するパノラマ景色が可能になる。つまり、同じ方向であるが、異なる傾斜角の電子装置１０は、画像２、８及び９といった異なるデータを記録する。
【００５４】
アプリケーションにおいて、これら画像２、８及び９は追加の画像と繋ぎ合わされ、ユーザに提示するとき、拡張した３次元仮想現実環境をユーザに体験させることができる。
【００５５】
図７は、実施形態の追加の特徴を示している。具体化されたアプリケーション機能は、異なる電子装置１２、１４、１６が、あるいは、同じ電子装置が異なる位置（ｘ１，ｙ１）；（ｘ２，ｙ２）；（ｘ３，ｙ３）から同じ点又は同じ被写体２０に向けて撮影した画像を読み出し／受信して、像、建物の様な、被写体２０の絵を生成することである。アプリケーションは、電子装置の視野線の交点を計算することで、被写体に向けられた記録画像から、被写体の３次元画像を生成することができる。異なる位置からの同じ領域、つまり、ある被写体への様々な方向の記録データは、結果として、スクリーン６０の被写体２０´の絵に編集することができ、ここで、被写体２０´は、３次元の方式で描かれている。ユーザは、異なる角度から被写体を見ることで、被写体の周囲を“歩く”ことができる。
【００５６】
図８は、記録データを処理する電子装置における方法を示し、
−ステップ２０１で、領域のデータを記録し、
−ステップ２０３で、記録データに位置データを関連付け
−ステップ２０５で、電子装置の方向判定部から受信した方向を示す方向データと記録データを関連付け、
−オプションとして、ステップ２０７で、関連データと共に記録データをデータベースに送信し、
−ステップ２０９で、位置及び方向データと共に記録データをデータ保存部に保存し、
−オプションとして、ステップ２１１で、記録データの位置データを以前に保存した記録データの位置データと比較し、
−オプションとして、ステップ２１３で、位置データが肯定的に適合する異なる記録データを繋ぎ合わせることで処理し、
−オプションとして、ステップ２１５で、パノラマ表示の様な、繋ぎ合わせたデータで取り囲まれたユーザの体験を表すサービスで、繋ぎ合わせたデータを表示する。
【００５７】
本方法は、その他、電子装置で実行することもできる。
【００５８】
互いに５０ｍの範囲内である位置データは、肯定的に適合する位置データと考えられる。
【００５９】
本方法は、さらに、電子装置の傾斜判定部からの傾斜データを記録データに関連付けるステップを含み、記録データは、位置、方向及び傾斜データと共に保存される。記録データを繋ぎ合わせるオプションの処理は、さらに、パノラマ表示を形成するために異なる方向データを繋ぎ合わせるステップを含み、球状の景色を形成するために異なる傾斜データの記録データを繋ぎ合わせるステップを含む。
【００６０】
本方法は、
−ある方向のデータを記録するために配置された記録部と、
−電子装置の位置データを判定する様に構成された位置判定部と、
−電子装置の方向を示す方向データを判定するために配置された方向判定部と、
−第１のアプリケーションを保存するメモリと、
−第１のアプリケーションを実行することにより、方向データ及び位置データを記録データに関連付けるために配置された制御部と、
を備えている電子装置を使用して実行することができる。
【００６１】
幾つかの実施形態において、方向データは、位置データに関する記録データの方向を示すデータである。
【００６２】
幾つかの実施形態において、方向判定部は、電子コンパスを含む。
【００６３】
幾つかの実施形態において、電子装置は、さらに、電子装置の傾斜角を判定する様に構成された傾斜判定部を含み、制御部は、傾斜角を記録データに関連付けるために配置される。
【００６４】
幾つかの実施形態において、傾斜判定部は、少なくとも１つの加速度計を含む。
【００６５】
幾つかの実施形態において、電子装置は出力部を含み、第２のアプリケーションが電子装置に保存され、制御部は、第２のアプリケーションを実行することにより出力部に記録データを提示するために配置される。
【００６６】
幾つかの実施形態において、制御部は、関連する方向及び位置データを処理することで、出力部に記録データを表示するために配置されている。
【００６７】
さらに、記録データと、関連する位置及び方向データを保存し、保存した記録データの位置データと、以前に保存した記録データの位置データとを比較し、位置データの似ている、つまり、位置データが互いに所定の範囲内にある、保存した記録データ及び以前に保存した記録データを繋ぎ合わせることにより処理し、記録データと以前に保存した記録データのパノラマ表示を提示する出力部に繋ぎ合わせたデータを表示するために、制御部は配置されている。
【００６８】
本方法のステップの幾つかは、第３のアプリケーションを保存しているメモリと制御部を備えているコンピュータで実行することができ、制御部は、第３のアプリケーションを実行することで、記録データを、関連する位置及び方向データと共に受信し、以前にコンピュータに保存した記録データの位置データと、関連する位置及び方向データとを比較し、互いに所定の範囲内に位置データのある、似ている記録データの位置データを判定し、記録データと、以前に保存した記録データのうちの、似た位置データの記録データを繋ぎ合わせることで処理する。
【００６９】
コンピュータの幾つかの実施形態において、制御部は、記録データ及び以前に保存した記録データのパノラマ表示としてユーザに繋ぎ合わせたデータを提示するためにも配置されている。
【００７０】
コンピュータの幾つかの実施形態において、制御部は、記録データ及び以前に保存した記録データの３次元表示としてユーザに繋ぎ合わせたデータを提示するためにも配置されている。
【００７１】
記録データを提示するシステムに関する幾つかの実施形態は、電子装置と、通信ネットワーク経由で電子装置に接続可能なデータベースとを含み、電子装置は、第１の方向からのデータを記録するために配置された記録部と、電子装置の位置データを判定する様に構成された位置判定部と、位置データに関する記録データの方向を示す方向データを判定するために配置された方向判定部と、第１のアプリケーションを保存しているメモリと、前記アプリケーションの実行により、位置及び方向データを記録データに関連付け、記録データを関連する位置及び方向データと共にデータベースに送信する制御部を備えており、データベースは、記録データを受信する様に構成された受信部と、第３のアプリケーションを保存しているメモリと、第３のアプリケーションを実行する様に配置されたデータベース制御部とを備えており、記録データは、関連する位置及び方向データと共に提示される。
【００７２】
幾つかの実施形態において、データベースは、記録データと、以前に保存した関連する位置及び方向データを持つ記録データを、これら２つの異なる記録データの位置データが肯定的に適合する場合、繋ぎ合わせるために配置されている。
【００７３】
幾つかの実施形態において、位置データが示す位置の差が所定範囲内にある場合に、肯定的に適合すると判定する。
【００７４】
幾つかの実施形態において、繋ぎ合わせたデータは、３次元環境を提供する仮想現実環境で表示される。
【００７５】
幾つかの実施形態において、電子装置は、さらに、画像が撮影されたときの電子装置の重力軸に対する記録部の傾斜角を記録する傾斜判定部を備えている。
【００７６】
幾つかの実施形態は、コンピュータプログラムロジックを含むコンピュータが利用可能な媒体を備えたコンピュータプログラム・プロダクトに関し、コンピュータプログラム・プロダクトは、電子装置の制御部に、
−記録データを受信するステップと、
−電子装置の位置データと記録データを関連付けるステップと、
−位置データに対する記録データの方向を示す、電子装置の方向判定部から受信する方向データを関連付けるステップと、
−記録データを位置及び方向データと共にデータ保存部に保存するステップと、
を実行させる。
【００７７】
幾つかの実施形態において、電子装置の傾斜データを関連付けるステップを制御部に実行させ、記録データは、位置及び方向データに加えて傾斜データと共に保存される。
【００７８】
幾つかの実施形態は、コンピュータプログラムロジックを含むコンピュータが利用可能な媒体を備えたコンピュータプログラム・プロダクトに関し、コンピュータプログラム・プロダクトは、電子装置の制御部に、
−記録データを関連する位置及び方向データと共に受信するステップと、
−位置データと、コンピュータ装置が以前に保存した位置データを比較するステップと、
−互いに所定の範囲内に位置データがある、記録データの位置データと似た位置データの以前に保存した記録データを判定するステップと、
−記録データと、似た位置データを持つ以前に保存した記録データを繋ぎ合わせることにより処理するステップと、
を実行させる。
【００７９】
幾つかの実施形態において、電子装置は、無線通信装置を含む。
【００８０】
幾つかの実施形態において、電子装置は、データベース／サーバを含む。
【００８１】
幾つかの実施形態において、コンピュータプログラム・プロダクトは、
−第１の位置データを検索語として、ネットワーク上の記録データを検索するステップと、
−第１の位置データから設定された範囲内にある位置データに関連する記録データを読み出すステップと、
を実行させる様に構成されている。
【００８２】
幾つかの実施形態において、繋ぎ合わせた記録データ及び以前に保存した記録データは、ある位置から体験されるパノラマ又は３次元表示を表示するために編集される。
【００８３】
図及び明細書は、本発明の例示的な実施形態を開示している。しかしながら、本発明の原理を実質的に逸脱することなく、多くの変更や修正をこれら実施形態に行うことができる。よって、特定の用語が使用されているが、それらは、一般的及び説明の目的で使用しており、制限するために使用しているのではなく、発明の範囲は以下の特許請求の範囲で規定される。
【図１】
2011519192.tif 000003
【図２】
2011519192.tif 000004
【図３】
2011519192.tif 000005
【図４】
2011519192.tif 000006
【図５】
2011519192.tif 000007
【図６】
2011519192.tif 000008
【図７】
2011519192.tif 000009
【図８】
2011519192.tif 000010
【手続補正書】
【提出日】平成21年12月9日(2009.12.9)
【手続補正１】
【補正対象書類名】特許請求の範囲
【補正対象項目名】全文
【補正方法】変更
【補正の内容】
【特許請求の範囲】
【請求項１】
ある方向のデータを記録するために配置された記録ユニット（１０６）と、
電子装置の位置データを判定する様に構成された位置判定部（１１２）と、
前記電子装置の向きを示す方向データを判定するために配置された方向判定部（１１４）と、
第１のアプリケーションを含むメモリ（１０４）と、
前記第１のアプリケーションの実行により、前記位置及び方向データを前記記録データに関連付けるために配置された制御部（１０２）と、
出力部（１０８）と、
を備えており、
第２のアプリケーションが前記電子装置に保存されており、
前記制御部は、前記第２のアプリケーションの実行により前記出力部に前記記録データを提示するために配置されており、
前記制御部は、前記関連する位置及び方向データを処理することにより前記出力部に前記記録データを表示し、前記記録データと前記関連する位置及び方向データを保存し、前記保存した記録データの前記位置データと、以前に保存した記録データの位置データとを比較し、互いに所定の範囲内に前記位置データがあることにより前記位置データが似ている前記保存した記録データ及び前記以前に保存した記録データを繋ぎ合わせることにより処理し、前記記録データ及び前記以前に保存した記録データのパノラマ表示を提示する出力部に前記繋ぎ合せたデータを表示するために配置されており、
前記繋ぎ合せたデータは、前記繋ぎ合せた記録データにより取り囲まれたユーザの体験を表すサービスにおいて提示される、
ことを特徴とする電子装置。
【請求項２】
前記方向データは、前記位置データに関する前記記録データの前記方向を示すデータである、
ことを特徴とする請求項１に記載の電子装置。
【請求項３】
前記方向判定部は、電子コンパスを含む、
ことを特徴とする請求項１又は２に記載の電子装置。
【請求項４】
前記電子装置の傾斜角を判定する様に構成された傾斜判定部をさらに備えており、
前記制御部は、前記傾斜角を前記記録データに関連付けるためにも配置されている、
ことを特徴とする請求項１から３のいずれか１項に記載の電子装置。
【請求項５】
前記傾斜判定部は、少なくとも１つの第１の加速度計を含む、
ことを特徴とする請求項４に記載の電子装置。
【請求項６】
アプリケーションを保存するメモリ（５４）と、制御部（５２）とを備えているコンピュータであって、
前記制御部は、前記アプリケーションの実行により、有線ネットワークから接続部（５６）経由で、記録データを関連する位置及び方向データと共に受信し、前記コンピュータに以前に保存した記録データの位置データを、関連する位置及び方向データと比較し、お互いに所定の範囲内に位置データがある似た記録データの位置データを判定し、前記記録データと前記以前に保存した似た位置データの記録データを繋ぎ合わせることにより処理するために配置されており、
前記制御部（５２）は、さらに、前記コンピュータのサービスに３次元体験サービスを付け加えるため、前記繋ぎ合せた記録データで人を囲み、前記記録データ及び前記以前に保存した記録データのパノラマ表示として、ユーザに前記繋ぎ合わせたデータを提示するためにも配置されている、
ことをと特徴とするコンピュータ。
【請求項７】
前記制御部（５２）は、前記記録データ及び前記以前に保存した記録データの３次元表示として、ユーザに前記繋ぎ合わせたデータを提示するためにも配置されている、
ことを特徴とする請求項６に記載のコンピュータ。
【請求項８】
前記記録データは、画像表示され、
前記制御部（５２）は、前記コンピュータ内部に保存された画像と、他のウェブサイトからの他のユーザの画像を使用するために配置されている、
ことを特徴とする請求項６又は７に記載のコンピュータ。
【請求項９】
前記記録データは、オーディオ情報を含み、
ユーザは、似た位置における異なる方向からのオーディオを提供するサラウンドシステムを用いて仮想サラウンドを体験する、
ことを特徴とする請求項６から８のいずれか１項に記載のコンピュータ。
【請求項１０】
電子装置（１０）と、通信ネットワーク（８０）経由で前記電子装置に接続可能なデータベース（５０）を備えている、記録データを提示するシステムであって、
前記電子装置（１０）は、
第１の方向からデータを記録するために配置されている記録部と、
前記電子装置の位置データを判定する様に構成されている位置判定部と、
前記位置データに関する前記記録データの方向を示す方向データを判定するために配置されている方向判定部と、
第１のアプリケーションを含むメモリと、
前記アプリケーションの実行により、前記位置及び方向データを前記記録データに関連付け、前記記録データを前記関連する位置及び方向データと共に前記データベースに送信するために配置されている制御部と、
を備えており、
前記データベース（５０）は、
前記記録データを受信する様に構成されている受信部と、
第３のアプリケーションを含むメモリと、
前記第３のアプリケーションを実行するために配置されているデータベース制御部と、
を備えており、
前記記録データは、前記関連する位置及び方向データに基づき提示され、
前記データベースは、前記記録データと、以前に保存した関連する位置及び方向データを持つ記録データを、２つの異なる記録データの位置データが肯定的に適合するときに繋ぎ合わせるために配置され、
前記繋ぎ合わせたデータは、前記データベースのサービスに３次元体験サービスを追加するために、前記繋ぎ合せた記録データで人を取り囲む仮想現実環境で提示される、
ことを特徴とするシステム。
【請求項１１】
位置データが示す位置の差が所定範囲内にある場合に、前記肯定的に適合すると判定する、
ことを特徴とする請求項１０に記載のシステム。
【請求項１２】
前記電子装置は、画像を撮影したときの、前記電子装置の重力軸に対する前記記録部の傾斜角を記録する傾斜判定部を、さらに、備えている、
ことを特徴とする請求項１０又は１１に記載のシステム。
【請求項１３】
記録データを処理する電子装置における方法であって、
−領域のデータを記録するステップと、
−前記電子装置の位置データを前記記録データに関連付けるステップと、
−前記電子装置の方向判定部から受信する方向を示す前記電子装置の方向データを、前記記録データに関連付けるステップと、
−前記記録データを前記位置及び方向データと共にデータ保存部に保存するステップと、
−前記記録データの位置データを、以前に保存した記録データの位置データと比較するステップと、
位置データが肯定的に適合する異なる記録データを繋ぎ合わせることで処理するステップと、
を含み、
前記繋ぎ合せたデータは、前記繋ぎ合せた記録データによって取り囲まれたユーザの体験を表すサービスで提示される、
ことを特徴とする方法。
【請求項１４】
前記電子装置の傾斜判定部からの傾斜データを前記記録データに関連付けるステップを、さらに、備えており、
前記傾斜データも前記記録データと共に保存する、
ことを特徴とする請求項１３に記載の方法。
【請求項１５】
緯度及び／又は経度が５０ｍ未満の差の位置データである場合に、前記肯定的に適合すると判定する、
ことを特徴とする請求項１３又は１４に記載の方法。
【請求項１６】
前記比較するステップ及び前記処理するステップは、前記電子装置が実行する、
ことを特徴とする請求項１３から１５のいずれか１項に記載の方法。
【請求項１７】
前記比較するステップ及び前記処理するステップは、外部のコンピュータが実行する、
ことを特徴とする請求項１３から１５のいずれか１項に記載の方法。
【請求項１８】
コンピュータプログラムロジックを含むコンピュータが利用可能な媒体を備えたコンピュータプログラムであって、前記コンピュータプログラムは、電子装置の制御部に、
−記録データを関連する位置及び方向データと共に受信するステップと、
−前記位置データと、前記コンピュータ装置に以前に保存された位置データを比較するステップと、
−互いに所定の範囲内に位置データがある、前記記録データの位置データに似た位置データの以前に保存した記録データを判定するステップと、
−前記記録データと、前記似た位置データの以前に保存した記録データを繋ぎ合わせることにより処理するステップと、
を実行させ、
前記繋ぎ合わせた記録データ及び以前に保存した記録データは、ある位置から体験されるパノラマ又は３次元表示として表示するために編集される、
ことを特徴とするコンピュータプログラム。
【請求項１９】
前記電子装置は、無線通信装置を含む、
ことを特徴とする請求項１８に記載のコンピュータプログラム。
【請求項２０】
前記電子装置は、データベース／サーバを含む、
ことを特徴とする請求項１８又は１９に記載のコンピュータプログラム。
【請求項２１】
−第１の位置データを検索語として、ネットワーク上の記録データを検索するステップと、
−第１の位置データから設定された範囲内にある位置データに関連する記録データを読み出すステップと、
を実行させる請求項１８から２０のいずれか１項に記載のコンピュータプログラム。
【手続補正書】
【提出日】平成22年11月10日(2010.11.10)
【手続補正１】
【補正対象書類名】特許請求の範囲
【補正対象項目名】全文
【補正方法】変更
【補正の内容】
【特許請求の範囲】
【請求項１】
ある方向のデータを記録するために配置された記録ユニット（１０６）と、
電子装置の位置データを判定する様に構成された位置判定部（１１２）と、
前記電子装置の向きを示す方向データを判定するために配置された方向判定部（１１４）と、
第１のアプリケーションを含むメモリ（１０４）と、
前記第１のアプリケーションの実行により、前記位置及び方向データを前記記録データに関連付けるために配置された制御部（１０２）と、
出力部（１０８）と
を備えており、
第２のアプリケーションが前記電子装置に保存されており、
前記制御部は、前記第２のアプリケーションの実行により前記出力部に前記記録データを提示するために配置されており、
前記制御部は、前記関連する位置及び方向データを処理することにより前記出力部に前記記録データを表示し、前記記録データと前記関連する位置及び方向データを保存し、前記保存した記録データの前記位置データと、以前に保存した記録データの位置データとを比較し、互いに所定の範囲内に前記位置データがあることにより前記位置データが似ている前記保存した記録データ及び前記以前に保存した記録データを繋ぎ合わせることにより処理し、前記記録データ及び前記以前に保存した記録データのパノラマ表示を提示する出力部に前記繋ぎ合せたデータを表示するために配置されており、
前記繋ぎ合せたデータは、前記繋ぎ合せた記録データにより取り囲まれたユーザの体験を表すサービスにおいて提示される、
ことを特徴とする電子装置。
【請求項２】
前記電子装置の傾斜角を判定する様に構成された傾斜判定部をさらに備えており、
前記制御部は、前記傾斜角を前記記録データに関連付けるためにも配置されている、
ことを特徴とする請求項１に記載の電子装置。
【請求項３】
アプリケーションを保存するメモリ（５４）と、制御部（５２）とを備えているコンピュータであって、
前記制御部は、前記アプリケーションの実行により、有線ネットワークから接続部（５６）経由で、記録データを関連する位置及び方向データと共に受信し、前記コンピュータに以前に保存した記録データの位置データを、関連する位置及び方向データと比較し、お互いに所定の範囲内に位置データがある似た記録データの位置データを判定し、前記記録データと前記以前に保存した似た位置データの記録データを繋ぎ合わせることにより処理するために配置されており、
前記制御部（５２）は、さらに、前記コンピュータのサービスに３次元体験サービスを付け加えるため、前記繋ぎ合せた記録データで人を囲み、前記記録データ及び前記以前に保存した記録データのパノラマ表示として、ユーザに前記繋ぎ合わせたデータを提示するためにも配置されている、
ことをと特徴とするコンピュータ。
【請求項４】
前記制御部（５２）は、前記記録データ及び前記以前に保存した記録データの３次元表示として、ユーザに前記繋ぎ合わせたデータを提示するためにも配置されている、
ことを特徴とする請求項３に記載のコンピュータ。
【請求項５】
前記記録データは、画像表示され、
前記制御部（５２）は、前記コンピュータ内部に保存された画像と、他のウェブサイトからの他のユーザの画像を使用するために配置されている、
ことを特徴とする請求項３又は４に記載のコンピュータ。
【請求項６】
前記記録データは、オーディオ情報を含み、
ユーザは、似た位置における異なる方向からのオーディオを提供するサラウンドシステムを用いて仮想サラウンドを体験する、
ことを特徴とする請求項３から５のいずれか１項に記載のコンピュータ。
【請求項７】
電子装置（１０）と、通信ネットワーク（８０）経由で前記電子装置に接続可能なデータベース（５０）を備えている、記録データを提示するシステムであって、
前記電子装置（１０）は、
第１の方向からデータを記録するために配置されている記録部と、
前記電子装置の位置データを判定する様に構成されている位置判定部と、
前記位置データに関する前記記録データの方向を示す方向データを判定するために配置されている方向判定部と、
第１のアプリケーションを含むメモリと、
前記アプリケーションの実行により、前記位置及び方向データを前記記録データに関連付け、前記記録データを前記関連する位置及び方向データと共に前記データベースに送信するために配置されている制御部と、
を備えており、
前記データベース（５０）は、
前記記録データを受信する様に構成されている受信部と、
第３のアプリケーションを含むメモリと、
前記第３のアプリケーションを実行するために配置されているデータベース制御部と、
を備えており、
前記記録データは、前記関連する位置及び方向データに基づき提示され、
前記データベースは、前記記録データと、以前に保存した関連する位置及び方向データを持つ記録データを、２つの異なる記録データの位置データが肯定的に適合するときに繋ぎ合わせるために配置され、
前記繋ぎ合わせたデータは、前記データベースのサービスに３次元体験サービスを追加するために、前記繋ぎ合せた記録データで人を取り囲む仮想現実環境で提示される、
ことを特徴とするシステム。
【請求項８】
位置データが示す位置の差が所定範囲内にある場合に、前記肯定的に適合すると判定する、
ことを特徴とする請求項７に記載のシステム。
【請求項９】
記録データを処理する電子装置における方法であって、
−領域のデータを記録するステップと、
−前記電子装置の位置データを前記記録データに関連付けるステップと、
−前記電子装置の方向判定部から受信する方向を示す前記電子装置の方向データを、前記記録データに関連付けるステップと、
−前記記録データを前記位置及び方向データと共にデータ保存部に保存するステップと、
−前記記録データの位置データを、以前に保存した記録データの位置データと比較するステップと、
位置データが肯定的に適合する異なる記録データを繋ぎ合わせることで処理するステップと、
を含み、
前記繋ぎ合せたデータは、前記繋ぎ合せた記録データによって取り囲まれたユーザの体験を表すサービスで提示される、
ことを特徴とする方法。
【請求項１０】
コンピュータプログラムロジックを含むコンピュータが利用可能な媒体を備えたコンピュータプログラムであって、前記コンピュータプログラムは、電子装置の制御部に、
−記録データを関連する位置及び方向データと共に受信するステップと、
−前記位置データと、前記コンピュータ装置に以前に保存された位置データを比較するステップと、
−互いに所定の範囲内に位置データがある、前記記録データの位置データに似た位置データの以前に保存した記録データを判定するステップと、
−前記記録データと、前記似た位置データの以前に保存した記録データを繋ぎ合わせることにより処理するステップと、
を実行させ、
前記繋ぎ合わせた記録データ及び以前に保存した記録データは、ある位置から体験されるパノラマ又は３次元表示として表示するために編集される、
ことを特徴とするコンピュータプログラム。
【請求項１１】
−第１の位置データを検索語として、ネットワーク上の記録データを検索するステップと、
−第１の位置データから設定された範囲内にある位置データに関連する記録データを読み出すステップと、
を実行させる請求項１０に記載のコンピュータプログラム。
【国際調査報告】
2011519192.tif 000011
2011519192.tif 000012
2011519192.tif 000013
2011519192.tif 000014
2011519192.tif 000015